(57)【要約】【課題】  衣類や化粧品或いはハンカチーフ等の身の回り品等の小物類を収納できるだけでなく、洋服やオーバーコート等の大型の衣類等にも応用できる持ち運びに便利で、ファション性があり、普段も長く使用することのできるスライダーを設けたファスナー付袋体を提供する。【解決手段】表面シート１Aと裏面シート１Bとを有し、左右両端部及び下端部の周縁部をシールして開口部２を設けた袋体１であって、該袋体の開口部２の近傍の左右両面内側に横長の短いシートの下部をシールして、上側に四枚のシートを形成し、前記四枚のシートのうち左右の内側のシート上端部には一方に凹部を設け、他方には前記凹部に嵌る凸部を設けたファスナーFを設けるとともに該ファスナーFにスライダー３を取り付け、左右の二枚の外側のシート（１A、１B）上端部には、持ち手を付ける把持部５を設けた挟持具４で挟持する。【選択図】図２
2013043676.tif 000002
【特許請求の範囲】
【請求項１】
表面シート１Aと裏面シート１Bとを有し、左右両端部及び下端部の周縁部をシールして開口部２を設けた袋体であって、
該袋体１の開口部２の近傍の左右両面内側に横長の短いシートの下部をシールして、上側に四枚のシート（1A、1B、1C、1D）を形成し、前記四枚のシートのうち左右の内側のシート（１C、１D）上端部には一方に凹部を設け、他方には前記凹部に嵌る凸部を設けたファスナーFを設けるとともに該ファスナーFにスライダー３を取り付け、前記四枚のシートのうち左右の二枚の外側のシート（１A、１B）上端部には、持ち手を付ける挟持具４で挟持してなることを特徴とするスライダーを設けたファスナー付袋体。
【請求項２】
表面シート６Aと裏面シート６Bとを有し、左右両端部及び下端部の周縁部をシールして開口部７を設けた袋体６であって、
該袋体１の開口部２の近傍の左右両面に内向きと外向きに二か所を折り曲げて開口部２近傍の前後にそれぞれ三枚シート（６A、６C、６Dおよび６B、６E、６F）が形成されるように該袋体の左右の縁部をシールし、前記一方の三枚のシートのうち内側の左右各１枚（6D、6F）の端部には一方に凹部を設けると共に他方には前記凹部に嵌合する凸部を設けたファスナーFを設け、該ファスナーFにスライダー３を取りつけ、折り曲げ部のある他の各左右二枚（6A、6Dおよび6B、6E）のシート端部には、持ち手を付ける挟持具４で挟持してなることを特徴とするスライダーを設けたファスナー付袋体。
【請求項３】
前記挟持具４は、二股の板状材（４A、４B）とし、一方には凸部（４C）を設け、他方には前記凸部（４C）をシート部に穿設した穴を介して通し、押して入る程度の穴（４D）を穿設してなる挟持部であることを特徴とする請求項１または請求項２に記載のスライダーを設けたファスナー付袋体。
【請求項４】
前記袋体１の開口部２の近傍の左右両面外側と前記横長の短いシートの下部とは、超音波シールまたは熱溶着シールであることを特徴とした請求項１または請求項２に記載のスライダーを設けたファスナー付袋体。
【請求項５】
左右両端部及び下端部の周縁部をシールして開口部２を設けた袋体１には、底部にマチ１０を設けたことを特徴とする請求項１または請求項２に記載のスライダーを設けたファスナー付袋体。
【請求項６】
ファスナーに取り付けるスライダー３は、ファスナーを開く突起を設けたスライダー部３Aと、開いたファスナーを閉じるスライダー部３Bとの分割型のスライダーを合体させて設けたことを特徴とする請求項１または請求項２に記載のスライダーを設けたファスナー付袋体
【発明の詳細な説明】
【技術分野】
【０００１】
本発明は、衣類や化粧品或いはハンカチーフ等の身の回り品、その他色々な買い物類を収納し、持ち歩くのにも便利な特殊なスライダーを設けたファスナー付袋体に関する。
【背景技術】
【０００２】
従来、少し大事な小物類や化粧品或いは買いたての宝飾品や財布等は、ハンドバグに入れて持ち歩く。しかし、近年は紙や合成樹脂製の袋体で丈夫なものがあり、このような小物類や衣類等はハンドバッグを使用するまでもない場合がある。しかしながらこれらの紙や合成樹脂製の袋体は、ハンドバッグのようにジッパーやチャックを設けたものは殆ど無く、盗難にも逢い易いし、気づかないうちに中の物が落下することもある。中にはファスナーを取り付けたものもあるが、開閉には手を使用するため特に閉めた状態が完全とは言えず、本人は閉めたと思っていても半開きの状態であることも多い。
【０００３】
従来の不正開封防止手段としては、開閉防止部材１を袋体２とは別体に設け、この開閉部材１にはファスナー１０にスライダー１５を設け,該袋体２と開閉防止部材１は一体にしてある（符号は引用文献１のものをそのまま使用）。この状態で袋体２に商品を入れて陳列してあり、商品の購入者が袋体を使用する時には切断部３０で切断して開封するようになっている。前記スライダー１５を設ける部分には切欠部２３を設けているが、比較的複雑な構造である。この場合、ファスナー１０にスライダー１５を設けるのは不正開封を防止するのが主要意図（盗難防止）であって、この状態で袋体２に商品を入れて陳列してある。前記切欠部２３を設けるのはスライダー１５をスライドさせ袋体２を勝手に開封しないようにするためである（特許文献１）。
また、店先で商品を入れた盗難防止用の袋体としては、ファスナーやスライダーは設けられていないが、特許文献２、や特許文献３等に記載されているものが知られている。
【先行技術文献】
【特許文献】
【０００４】
【特許文献１】実用新案登録第３０７７１３１号
【特許文献２】特開２００５−０４５２１号
【特許文献３】特開２００９−１２０２４０号
【発明の概要】
【発明が解決しようとする課題】
【０００５】
種々の商品を販売しているストア或いはスーパーマーケットでは、商品を入れている紙製や合成樹脂製の袋体は、単に包装用袋としか扱われていない。そのような袋体をバッグ代わりに持ち歩いたとしても、それは一時的な代用品として持つのであり、紙製や合成樹脂製紙の袋体を普段のバッグとして使用することは考えられていない。このような紙製の袋体には丈夫な蓋或いは開口部を閉じる手段がないため中に商品を入れて店頭に陳列したり、持ち歩いても中の商品の盗難を防止する方法はない。ファスナーを設けた袋体もあるが確実に蓋をすることはできない。
【０００６】
また、紙製の袋体は丈夫に且つ綺麗に作っても中の商品を取り出したら廃棄処分され、せっかく丈夫に且つ綺麗に作ったことが無駄になることも多い。特にブランド品などは、おしゃれな袋体を使用することが多いが、袋体として使用した後の使い道が無いのはもったいないといえる。また、このような紙製或いは合成樹脂製の袋体は通常の紙袋などよりも高いコストかかり値段も高い。
【０００７】
袋体には、上記するように小物類や財布などの比較的小型のものを入れる袋体もあるが、近年の袋体には、洋服やオーバーコート等の大型の衣類を購入して収納し、そのまま持ち帰る袋体もある。そのような場合、洋服やオーバーコート等の大型の衣類を入れた袋体がそれなりのファッション性を有するものであれば所有者は抵抗無く持ち歩くことができるが、そのような盗難防止を兼ねた袋体は見られない。
【０００８】
本発明は上記する課題に対処するためになされたものであり、衣類や化粧品或いはハンカチーフ等の身の回り品等の小物類を収納できるだけでなく、盗難防止も可能で洋服やオーバーコート等の大型の衣類等にも応用できる持ち運びに便利で、ファション性があり、普段も長く使用することのできるスライダーを設けたファスナー付袋体を提供することを目的としている。
【課題を解決するための手段】
【０００９】
すなわち、上記課題を解決するために、請求項１に記載の発明は、表面シート１Aと裏面シート１Bとを有し、左右両端部及び下端部の周縁部をシールして開口部２を設けた袋体１であって、
該袋体の開口部2の近傍の左右両面内側に横長の短いシートの下部を接着して、上側に四枚のシート（１Ａ，１Ｂ，１Ｃ，１Ｄ）を形成し、前記四枚のシートのうち左右の内側のシート（１Ｃ，１Ｄ）上端部には一方に凹部を設け、他方には前記凹部に嵌合する凸部を設けたファスナーFを設けると共に該ファスナーFにスライダー３を取り付け、前記四枚のシートのうち左右の二枚の外側のシート（１Ａ，１Ｂ）上端部には、持ち手２０を付ける挟持具４で挟持することを特徴とするスライダーを設けたファスナー付袋体であることを特徴としている。
【００１０】
また、請求項２に記載の発明は、表面シート６Aと裏面シート６Bとを有し、左右両端部及び下端部の周縁部をシールして開口部7を設けた袋体6であって、
該袋体6の開口部7の近傍の左右両面に内向きと外向きに二か所を折り曲げて該開口部7近傍の前後にそれぞれ三枚のシート（６A、６C、６Dおよび６B、６E、６F）が形成されるように該袋体６の左右の縁部をシールし、前記一方の三枚のシートのうち内側の左右各１枚（６D、６F）の端部には一方に凹部を設けると共に他方には前記凹部に嵌合する凸部を設けたファスナーFを設け、該ファスナーFにスライダー３を取りつけ、折り曲げ部のある他の左右二枚のシート端部には、持ち手２０を付ける挟持具４で挟持してなることを特徴とするスライダーを設けたファスナー付袋体であることを特徴としている。
【００１１】
更に、請求項３に記載の発明は、前記挟持具４は、二股の板状材（５A、５B）とし、一方には凸部５Cを設け、他方には前記凸部5Cをシート部に穿設した穴を介して通し、押して入る程度の穴５Dを穿設してなる挟持具４であることを特徴としている。
【００１２】
また、請求項４に記載の発明は、前記袋体１の開口部２の近傍の左右両面外側と前記横長の短いシート（１C、１D）の下部との接着は、超音波シールまたは熱溶着シールであることを特徴としている。
【００１３】
また、請求項５に記載の発明は、左右両端部及び下端部の周縁部をシールして開口部を設けた袋体（１，６）には、底部にマチ１０を設けたことを特徴としている。
【００１４】
更に、請求項６に記載の発明は、ファスナーFに取り付けるスライダー３は、該ファスナーFを開く突起を設けたスライダー部３Aと、開いたファスナーFを閉じるスライダー部３Bとの分割型のスライダーを合体させたスライダー３であることを特徴としている。
【発明の効果】
【００１５】
本発明によれば、従来の袋体は、単に包装用袋としてしか使用されなかたが長持ちさせかつファッション性にも優れた袋体として使用することができる。また、ファスナーにスライダーを設けたことから盗難防止にもなり、蓋の代わりともなる。さらに袋の中のものを不用意に落とすこともなくなる。
【００１６】
また、比較的かっこいいファッシヨナブルな袋体となり、ハンドバッグの代わりとして使用することができる。そして、紙製或いは合成樹脂製の袋体は丈夫に且つ綺麗に作り、中の商品を取り出しても廃棄処分することなく再使用することができる。特に、ブランド品などを購入したとき、そのままブランド品などを入れて持ち歩くことも可能な袋体となる。したがってブランド品や有名商品の販売時の袋体として特に最適である。
【００１７】
本発明のスライダーを設けたファスナー付袋体は、小は小物入れ用の袋体から大は洋服やオーバーコート等の大型の衣類を入れる袋体まで広く使用することができる。特に本発明で使用するスライダーは、分割可能であり、取り外して他の袋体にも使用することができる。
【図面の簡単な説明】
【００１８】
【図１】図１は、本発明の袋体の側面図でる。
【図２】図２（A）は図１のA―A矢視図であり、図２（B）は、図２（A）のシート部分の拡大図である
【図３】図３は、図２（A）のP部拡大図である。
【図４】シートのみを示した斜視図である。
【図５】図５は、上記実施例で示した挟持具の斜視図である
【図６】図６は、本発明の袋体の図１A―A矢視断面図であって、本発明の袋体の他の実施例を示した図である。
【図７】図７は、本願発明の袋体であって比較的幅の広い袋体の場合を示す全体側面図である。
【図８】図８は、図７の袋体と同様の袋体であって比較的幅の広い袋体の場合を示す全体側面図である。
【図９】図９（A）は、上記袋体で使用されるスライダーの斜視図であり、図９（B）は、その分解図である。
【図１０】図１０（A）は、本発明の袋体で使用されスライダーの斜視図であり、図１０（B）はその分解図である。
【図１１】図１１（A）は、大型の袋体で使用されるスライダーの組立斜視図であり、図１１（B）は、その分解図である
【発明を実施するための形態】
【００１９】
図１は、本発明の袋体の側面図であり、図２（A）は図１のA―A矢視図であり、図２（B）は、図２（A）のシート部分の拡大図である。また、図３は、図２（A）のP部拡大図である。
【００２０】
本発明のスライダーを設けたファスナー付袋体１は、表面シート１Aと裏面シート１Bとを有している。これらの表面シート１Aと裏面シート１Bは、左右両端部及び下端部の周縁部X、Y、Zをシールして開口部2を設けてある。
【００２１】
図１及び図２(A)に示すように、開口部2にはファスナーFが設けられている。すなわち、前記袋体１の開口部２の近傍の左右両面内側には、横長の短いシート１C、１Dの下部を接着してある。したがって、図２（B）に示すように、該袋体１には上側に四枚のシート１A、１B、１C、１D（２枚は表面シート１Aと裏面シート１B）が形成される。シート１C、１Dの下部の接着は超音波シールまたは熱溶着シールである。なお、図２（B）はシート１A、１B、１C、１Dのみを示した断面である。また、図４も、シートの上部のみを示した斜視図である。
【００２２】
前記四枚のシートのうち左右の内側のシート１C、１Dの上端部には一方に凹部を設け、他方には前記凹部に嵌合する凸部を設けたファスナーFが設けられるととともに該ファスナーFには、袋体１の開口部２を開閉するスライダー３が取り付けられている。前記四枚のシートのうち左右の二枚の外側のシート１A、１B上端部には、袋体１に取り付ける持ち手２０の挟持具４で挟持されている。図５は、本発明の袋体１で使用する挟持具４の斜視図であるが、詳細は後述する。
【００２３】
図３に示すように、前記ファスナーFは、袋体１の開口部２の近傍の一方の内シート１Cの側面に凸条部を設けた雄係合部材F１を接着し、他方のシート１Dの内側面には前記凸条部を係脱自在に嵌め入れる凹状の係合溝を設けた雌係合部材F２を接着して構成される。そして該ファスナーFには、スライダー3が設けられる。このスライダー３については後述する（図９参照）。
【００２４】
図５は、上記実施例で示した挟持具4の斜視図である。
図１や図２に示す挟持具4は、持ち手２０の先に取り付けるが、この挟持部４は二股の板状材４A、４Bとして形成し、一方には凸部４C、４Cを設け、他方には前記凸部４C、４Cをシート部１Cまたは１Dに穿設した穴を介して通し、押して入る程度の穴４D、４Dを穿設してある。なお、これらの凸部４C、４Cや穴４D、４Dは各一組が嵌合すればよい。該挟持具４は、取り外して他の袋体の持ち手２０に使用することもできる。
【００２５】
図６は、本発明の袋体の図１A―A矢視断面図であって、本発明の袋体１と同様の他の袋体６の実施例を示した図である。この袋体６の外観は図１と同様である。該袋体６の開口部２の近傍の左右両面には内向きと外向きに二か所（１１、１２）を折り曲げて開口部７近傍の前後にそれぞれ各三枚のシート６A、６C、６D及び６B、６E、６F（6Aと6Bは、表面シート６Aと裏面シート6Bである。）が形成されている。また、該袋体６の左右および底部の縁部は、図１と同様にシールしてある。前記一方の三枚のシートのうち内側の左右各１枚（６D、６F）の端には一方に凹部を設けると共に他方には前記凹部に嵌合する凸部を設けたファスナーFを設け、該ファスナーFにスライダー3を取りつけ、折り曲げ部１１のある他の左右各二枚のシート（６A、６Cおよび６B、６E）の端部には、持ち手２０の挟持具４で挟持するようにしてある。この構成は図２（A）と同様である。
【００２６】
前記袋体１或いは６は、左右両端部及び下端部の周縁部をシールして開口部２、７を設けた袋体としたが、図１や図６に示すように該袋体１や６には、底部にマチ１０を設けてスライダー３を設けたファスナー付袋体１としてもよい。このマチ１０を設けると、袋体１、６の中に入れる物の量を多くすることができ、分厚い服類も入れやすくなる。
【００２７】
図７は、本願発明の袋体であって比較的幅の広い袋体を示す全体側面図である。挟持具４は、前記図１や図２に示すようなものに限らずこのように五角形状のもの等でも良く、他の形状でも良い。また、ファスナーFとスライダー３を設ける開口部２の上端縁の位置は、図７に示すように、外側の挟持具４を取り付ける上端縁の位置より高くても良く（図１も同様）、逆に次に説明する図８に示すように、外側の挟持具４を取り付ける上端縁の位置より低くしても良い。  
【００２８】
図８は、図７の袋体と同様の袋体であって比較的幅の広い袋体の場合を示す全体側面図である。本実施例では、前記挟持具４は使用せず開口部２の両外側の上端部に持ち手２０の紐２１を外側のシートに穴を設けて通し脱落しないように結んだものである。したがって前記挟持具４を設けない分安く簡単である。
【００２９】
図９（A）は、上記袋体１で使用されるスライダー３をファスナーFに取り付けた状態の斜視図であり、図９（B）は、その分解図である。この図に示すように、スライダー３は二つの部分３Aと３Bに分解できるようにしてある。雄のスライダー部３Aには突出部３E、３Eが設けられ、雌のスライダー部３Bには前記突出部３E、３Eが嵌る穴３Fが設けられている。このようにスライダー３を分解した構成とすると袋体のファスナーFに嵌めたり、外したりしやすくなる。また、他の袋体にも取り付けやすくなる。そして、雄のスライダー部３Aは閉じたファスナーを開くためであり、雌のスライダー部３Bは開いたファスナーを
閉じるためである。
【００３０】
図１０は、本発明の袋体１や６で使用されスライダー３をファスナーFにとりつけた状態の斜視図であり、比較的大型のスライダーを使用する場合を示す。この大型のスライダー３は大きな袋体向きである。この袋体１や６のファスナーFに取り付けるスライダー３も二つの部分雄のスライダー部３Aと雌のスライダー部３Bに分解できるようにしてある。
【００３１】
図１１（A）は、大型の袋体１、６で使用されるスライダー３の組立斜視図であり、図１１（B）は、その分解図である。この大型のスライダー３は、図３（B）に示すように分解した状態で雄のスライダー部３Aを上からファスナーFに嵌め入れ，次いで雌のスライダー部３Bを嵌め入れ、ファスナーFで合体させる。この雄のスライダー部３Aには突出部３E、３Eが設けられ雌のスライダー部３Bに設けられた穴３Fに嵌めこまれるようになっている。スライダー３をこのような構成にすればスライダー３は取り替えて種々の袋体に使用することができる。
なお、図９（A）と図１０は、図１や図６に示す袋体１や６の上部のシート１A
や１Bやシート６Aや６B等省略してある。
【産業上の利用可能性】
【００３２】
本発明のスライダーを設けたファスナー付袋体は、店頭で販売された商品を従来の包装袋の代わりに使用することができる。しかもこれらの袋体（１，６）は、ハンドバッグの代わりとして使用することができるので広く販売、使用することが可能となり袋体の利用範囲が広くなり、産器用上の利用性も高くなる。そして従来使用されてきた包装用袋体は使用せずに済むので無駄もなくなる。
【符号の説明】
【００３３】
１    袋体
１A  表面シート
１B  裏面シート
２    開口部
３    スライダー
４    挟持具
５    把持部
６    袋体
６A  表面シート
６B  裏面シート
７    開口部
１０  マチ
２０  持ち手
【図１】
2013043676.tif 000003
【図２】
2013043676.tif 000004
【図３】
2013043676.tif 000005
【図４】
2013043676.tif 000006
【図５】
2013043676.tif 000007
【図６】
2013043676.tif 000008
【図７】
2013043676.tif 000009
【図８】
2013043676.tif 000010
【図９】
2013043676.tif 000011
【図１０】
2013043676.tif 000012
【図１１】
2013043676.tif 000013
【手続補正書】
【提出日】平成23年10月25日(2011.10.25)
【手続補正１】
【補正対象書類名】明細書
【補正対象項目名】全文
【補正方法】変更
【補正の内容】
【発明の詳細な説明】
【技術分野】
【０００１】
本発明は、衣類や化粧品或いはハンカチーフ等の身の回り品、その他色々な買い物類を収納し、持ち歩くのにも便利な特殊なスライダーを設けたファスナー付袋体に関する。
【背景技術】
【０００２】
従来、少し大事な小物類や化粧品或いは買いたての宝飾品や財布等は、ハンドバグに入れて持ち歩く。しかし、近年は紙や合成樹脂製の袋体で丈夫なものがあり、このような小物類や衣類等はハンドバッグを使用するまでもない場合がある。しかしながらこれらの紙や合成樹脂製の袋体に、ハンドバッグのようにジッパーやチャックを設けたものは殆ど無く、盗難にも逢い易いし、気づかないうちに中の物が落下することもある。中にはファスナーを取り付けたものもあるが（下記特許文献１）、開閉には手を使用するため特に閉めた状態が完全とは言えず、本人は閉めたと思っていても半開きの状態であることも多い。
【０００３】
従来の不正開封防止手段としては、開閉防止部材１を袋体２とは別体に設け、この開閉部材１にはファスナー１０にスライダー１５を設け,該袋体２と開閉防止部材１は一体にしてある（符号は引用文献１のものをそのまま使用）。この状態で袋体２に商品を入れて陳列し、商品の購入者が袋体を使用する時には切断部３０で切断して開封するようになっている。前記スライダー１５を設ける部分には切欠部２３を設けているが、比較的複雑な構造である。この場合、ファスナー１０にスライダー１５を設けるのは不正開封を防止するのが主要意図（盗難防止）であって、この状態で袋体２に商品を入れて陳列してある。前記切欠部２３を設けるのはスライダー１５をスライドさせ袋体２を勝手に開封しないようにするためである（特許文献１）。
また、店頭展示の際の商品盗難防止用の袋体としては、ファスナやスライダーは設けられていないが、特許文献２、や特許文献３等に記載されているものが知られている。
【先行技術文献】
【特許文献】
【０００４】
【特許文献１】実用新案登録第３０７７１３１号
【特許文献２】特開２００５−０４５２１号
【特許文献３】特開２００９−１２０２４０号
【発明の概要】
【発明が解決しようとする課題】
【０００５】
種々の商品を販売しているストア或いはスーパーマーケットでは、商品を入れている紙製や合成樹脂製の袋体は、単に包装用袋としか扱われていない。そのような袋体をバッグ代わりに持ち歩いたとしても、それは一時的な代用品として持つのであり、紙製や合成樹脂製紙の袋体を普段のバッグとして使用することは考えられていない。このような紙製の袋体には丈夫な蓋或いは開口部を閉じる手段がないため中に商品を入れて店頭に陳列したり、持ち歩いても中の商品の盗難を防止するのは困難である。ファスナーを設けた袋体もあるが確実に蓋をすることはできない。
【０００６】
また、紙製の袋体は丈夫に且つ綺麗に作っても中の商品を取り出したら廃棄処分され、せっかく丈夫に且つ綺麗に作ったことが無駄になることも多い。特にブランド品などは、おしゃれな袋体を使用することが多いが、袋体として使用した後の使い道が無いのはもったいないといえる。また、このような紙製或いは合成樹脂製の袋体は通常の紙袋などよりも高いコストかかり値段も高い。
【０００７】
袋体には、上記するように小物類や財布などの比較的小型のものを入れる袋体もあるが、近年の袋体には、洋服やオーバーコート等の大型の衣類を購入して収納し、そのまま持ち帰る袋体もある。そのような場合、洋服やオーバーコート等の大型の衣類を入れた袋体がそれなりのファッション性を有するものであれば所有者は抵抗無く持ち歩くことができるが、そのような盗難防止を兼ねた袋体は見られない。
【０００８】
本発明は上記する課題に対処するためになされたものであり、衣類や化粧品或いはハンカチーフ等の身の回り品等の小物類を収納できるだけでなく、盗難防止も可能で洋服やオーバーコート等の大型の衣類等にも使用することのできる持ち運びに便利で、ファション性があり、普段も長く使用することのできるスライダーを設けたファスナー付袋体を提供することを目的としている。
【課題を解決するための手段】
【０００９】
すなわち、上記課題を解決するために、請求項１に記載の発明は、表面シート１Aと裏面シート１Bとを有し、左右両端部及び下端部の周縁部をシールして開口部２を設けた袋体であって、
該袋体１の開口部２の近傍の左右両面内側に横長の短いシートの下部を接着して、上側に四枚のシート（1A、1B、1C、1D）を形成し、前記四枚のシートのうち左右の内側のシート（１C、１D）上端部には一方に凹部を設け、他方には前記凹部に嵌る凸部を設けたファスナーFを設けるとともに該ファスナーFにスライダー３を取り付け、前記四枚のシートのうち左右の二枚の外側のシート（１A、１B）上端部には、持ち手を付ける挟持具４で挟持してなることを特徴とするスライダーを設けたファスナー付袋体であることを特徴としている。
【００１０】
また、請求項２に記載の発明は、表面シート６Aと裏面シート６Bとを有し、左右両端部及び下端部の周縁部をシールして開口部７を設けた袋体６であって、
該袋体１の開口部２の近傍の左右両面に内向きと外向きに二か所（１１，１２）を折り曲げて開口部２近傍の前後にそれぞれ三枚シート（６A、６C、６Dおよび６B、６E、６F）が形成されるように該袋体の左右の縁部をシールし、前記一方の三枚のシートのうち内側の左右各１枚（6D、6F）の端部には一方に凹部を設けると共に他方には前記凹部に嵌合する凸部を設けたファスナーFを設け、該ファスナーFにスライダー３を取りつけ、折り曲げ部（１１，１１）のある他の各左右二枚（6A、6Dおよび6B、6E）のシート端部には、持ち手（２０）を付ける挟持具４で挟持してなることを特徴とするスライダーを設けたファスナー付袋体、であることを特徴としている。
【００１１】
更に、請求項３に記載の発明は、前記挟持具４は、二股の板状材（４A、４B）とし、一方には凸部（４C）を設け、他方には前記凸部（４C）をシート部に穿設した穴を介して通し、押して入る程度の穴（４D）を穿設してなる挟持具であることを特徴としている。
【００１２】
また、請求項４に記載の発明は、前記袋体１の開口部２の近傍の左右両面外側と前記横長の短いシートの下部とは、超音波シールまたは熱溶着シールであることを特徴とする請求項１または請求項２に記載のスライダーを設けたファスナー付袋体であることを特徴としている。
【００１３】
また、請求項５に記載の発明は、左右両端部及び下端部の周縁部をシールして開口部２を設けた袋体１には、底部にマチ１０を設けたことを特徴とする請求項１または請求項２に記載のスライダーを設けたファスナー付袋体であることを特徴としている。
【００１４】
更に、請求項６に記載の発明は、ファスナーに取り付けるスライダー３は、ファスナーを開く突起を設けたスライダー部３Aと、開いたファスナーを閉じるスライダー部３Bとの分割型のスライダーを合体させて設けたスライダーであることを特徴としている。
【発明の効果】
【００１５】
本発明によれば、従来の袋体は、単に包装用袋としてしか使用されなかたが長持ちさせかつファッション性にも優れた袋体として使用することができる。また、ファスナーにスライダーを設けたことから盗難防止にもなり、蓋の代わりともなる。さらに袋の中のものを不用意に落とすこともなくなる。
【００１６】
また、比較的かっこいいファッシヨナブルな袋体となり、ハンドバッグの代わりとして使用することができる。そして、紙製或いは合成樹脂製の袋体は丈夫に且つ綺麗に作り、中の商品を取り出しても廃棄処分することなく再使用することができる。特に、ブランド品などを購入したとき、そのままブランド品などを入れて持ち歩くことも可能な袋体となるので、ブランド品や有名商品の販売時の袋体として特に最適である。
【００１７】
本発明のスライダー３を設けたファスナー付袋体は、小は小物入れ用の袋体から大は洋服やオーバーコート等の大型の衣類を入れる袋体まで広く使用することができる。特に本発明で使用するスライダーは、分割可能であり、取り外して他の袋体にも使用することができる。
【図面の簡単な説明】
【００１８】
【図１】図１は、本発明の袋体の側面図でる。
【図２】図２（A）は図１のA―A矢視図であり、図２（B）は、図２（A）のシート部分の拡大図である
【図３】図３は、図２（A）のP部拡大図である。
【図４】シートのみを示した斜視図である。
【図５】図５は、上記実施例で示した挟持具の斜視図である
【図６】図６は、本発明の袋体の図１のA―A矢視断面図であって、本発明の袋体の他の実施例を示した図である。
【図７】図７は、本願発明の袋体であって比較的幅の広い袋体の場合を示す全体側面図である。
【図８】図８は、図７の袋体と同様の袋体であって比較的幅の広い袋体の場合を示す全体側面図である。
【図９】図９（A）は、上記袋体で使用されるスライダーの斜視図であり、図９（B）は、その分解図である。
【図１０】図１０（A）は、本発明の袋体で使用されスライダーの斜視図であり、図１０（B）はその分解図である。
【図１１】図１１（A）は、大型の袋体で使用されるスライダーの組立斜視図であり、図１１（B）は、その分解図である
【発明を実施するための形態】
【００１９】
図１は、本発明の袋体の側面図であり、図２（A）は図１のA―A矢視図であり、図２（B）は、図２（A）のシート部分の拡大図である。また、図３は、図２（A）のP部拡大図である。
【００２０】
本発明のスライダーを設けたファスナー付袋体１は、表面シート１Aと裏面シート１Bとを有している。これらの表面シート１Aと裏面シート１Bは、左右両端部及び下端部の周縁部X、Y、Zをシールして開口部2を設けてある。
【００２１】
図１及び図２(A)に示すように、開口部2にはファスナーFが設けられている。すなわち、前記袋体１の開口部２の近傍の左右両面内側には、横長の短いシート１C、１Dの下部を１A、１Bに接着してある。したがって、図２（B）に示すように、該袋体１には上側に四枚のシート１A、１B、１C、１D（２枚は表面シート１Aと裏面シート１B）が形成される。シート１C、１Dの下部の接着は超音波シールまたは熱溶着シールである。なお、図２（B）はシート１A、１B、１C、１Dのみを示した断面である。また、図４も、シートの上部のみを示した斜視図である。
【００２２】
図３は、図２（A）のＰ部拡大図である。前記四枚のシートのうち左右の内側のシート１C、１Dの上端部には一方に凸条部を設け、他方には前記凸部に嵌合する凹状部を設けたファスナーFが設けられるととともに該ファスナーFには、袋体１の開口部２を開閉するスライダー３が取り付けられている。前記四枚のシートのうち左右の二枚の外側のシート１A、１B上端部には、袋体１に取り付ける持ち手２０の挟持具４で挟持されている。図４は、本発明の袋体１で使用する挟持具４の斜視図である。
【００２３】
図３に示すように、前記ファスナーFは、袋体１の開口部２の近傍の一方の内シート１Cの側面に凸条部を設けた雄係合部材F１を接着し、他方のシート１Dの内側面には前記凸条部を係脱自在に嵌め入れる凹条部の係合溝を設けた雌係合部材F２を接着して構成される。そして該ファスナーFには、スライダー3が設けられる。このスライダー３については後述する（図９参照）。
【００２４】
図５は、上記実施例で示した挟持具4の斜視図である。
図１や図２に示す挟持具4は、持ち手２０の先に取り付けるが、この挟持部４は二股の板状材４A、４Bとして形成し、一方には凸部４C、４Cを設け、他方には前記凸部４C、４Cをシート部１Cまたは１Dに穿設した穴を介して通し、押して入る程度の穴４D、４Dを穿設してある。なお、これらの凸部４C、４Cや穴４D、４Dは各一組が嵌合すればよい。該挟持具４は、取り外して他の袋体の持ち手２０に使用することもできる。
【００２５】
図６は、本発明の袋体の図１のA―A矢視断面図であって、本発明の袋体１と同様の他の袋体６の実施例を示した図である。この袋体６の外観は図１と同様である。該袋体６の開口部２の近傍の左右両面には内向きと外向きに二か所に折り曲げ部（１１，１２）を設け、開口部７近傍の前後にそれぞれ各三枚のシート６A、６C、６D及び６B、６E、６F（6Aと6Bは、表面シート６Aと裏面シート6Bである。）が形成されている。また、該袋体６の左右および底部の縁部は、図１と同様にシールしてある。前記一方の三枚のシートのうち内側の左右各１枚６Dと６Fの端には、一方に凹部を設けると共に他方には前記凹部に嵌合する凸部を設けたファスナーFを設け、該ファスナーFにスライダー3を取りつけ、折り曲げ部１１のある他の左右各二枚のシート（６A、６Cおよび６B、６E）の端部には、持ち手２０の挟持具４で挟持するようにしてある。この構成は図２（A）と同様である。
【００２６】
前記袋体１或いは６は、左右両端部及び下端部の周縁部をシールして開口部２、７を設けた袋体としたが、図１や図６に示すように該袋体１や６には、底部にマチ１０を設けてスライダー３を設けたファスナー付袋体１としてもよい。このマチ１０を設けると、袋体１、６の中に入れる物の量を多くすることができ、分厚い服類も入れやすくなる。
【００２７】
図７は、本願発明の袋体であって比較的幅の広い袋体を示す全体側面図である。挟持具４は、前記図１や図２に示すようなものに限らずこのように五角形状のもの等でも良く、他の形状でも良い。また、ファスナーFとスライダー３を設ける開口部２の上端縁の位置は、図７に示すように、外側の挟持具４を取り付ける上端縁の位置より高くても良く（図１も同様）、逆に次に説明する図８に示すように、外側の挟持具４を取り付ける上端縁の位置より低くしても良い。  
【００２８】
図８は、図７の袋体と同様の袋体であって比較的幅の広い袋体の場合を示す全体側面図である。本実施例では、前記挟持具４は使用せず開口部２の両外側の上端部に持ち手２０の紐２１を外側のシートに穴を設けて通し脱落しないように結んだものである。したがって前記挟持具４を設けない分安く簡単である。
【００２９】
図９（A）は、上記袋体１で使用されるスライダー３をファスナーFに取り付けた状態の斜視図であり、図９（B）は、その分解図である。この図に示すように、スライダー３は二つの部分３Aと３Bに分解できるようにしてある。雄のスライダー部３Aには突出部３E、３Eが設けられ、雌のスライダー部３Bには前記突出部３E、３Eが嵌る穴３Fが設けられている。このようにスライダー３を分解した構成とすると袋体のファスナーFに嵌めたり、外したりしやすくなる。また、他の袋体にも取り付けやすくなる。そして、雄のスライダー部３Aは閉じたファスナーを開くためであり、雌のスライダー部３Bは開いたファスナーを
閉じるためである。
【００３０】
図１０は、本発明の袋体１や６で使用されスライダー３をファスナーFにとりつけた状態の斜視図であり、比較的大型のスライダーを使用する場合を示す。この大型のスライダー３は大きな袋体向きである。この袋体１や６のファスナーFに取り付けるスライダー３も二つの部分雄のスライダー部３Aと雌のスライダー部３Bに分解できるようにしてある。
【００３１】
図１１（A）は、大型の袋体１、６で使用されるスライダー３の組立斜視図であり、図１１（B）は、その分解図である。この大型のスライダー３は、図３（B）に示すように分解した状態で雄のスライダー部３Aを上からファスナーFに嵌め入れ，次いで雌のスライダー部３Bを嵌め入れ、ファスナーFで合体させる。この雄のスライダー部３Aには突出部３E、３Eが設けられ雌のスライダー部３Bに設けられた穴３Fに嵌めこまれるようになっている。スライダー３をこのような構成にすればスライダー３は取り替えて種々の袋体に使用することができる。
なお、図９（A）と図１０は、図１や図６に示す袋体１や６の上部のシート１A
や１Bやシート６Aや６B等省略してある。
【産業上の利用可能性】
【００３２】
本発明のスライダーを設けたファスナー付袋体は、店頭で販売された商品を従来の包装袋の代わりに使用することができる。しかもこれらの袋体（１，６）は、ハンドバッグの代わりとして使用することができるので広く販売、使用することが可能であり、袋体の利用範囲が広くなり、産器用上の利用性も高くなる。そして従来使用されてきた包装用袋体は使用せずに済むので無駄もなくなる。
【符号の説明】
【００３３】
１    袋体
１A  表面シート
１B  裏面シート
２    開口部
３    スライダー
４    挟持具
５    把持部
６    袋体
６A  表面シート
６B  裏面シート
７    開口部
１０  マチ
２０  持ち手
【手続補正２】
【補正対象書類名】特許請求の範囲
【補正対象項目名】全文
【補正方法】変更
【補正の内容】
【特許請求の範囲】
【請求項１】
表面シート１Aと裏面シート１Bとを有し、左右両端部及び下端部の周縁部をシールして開口部２を設けた袋体であって、
該袋体１の開口部２の近傍の左右両面内側に横長の短いシートの下部を接着して、上側に四枚のシート（1A、1B、1C、1D）を形成し、前記四枚のシートのうち左右の内側のシート（１C、１D）上端部には一方に凹部を設け、他方には前記凹部に嵌る凸部を設けたファスナーFを設けるとともに該ファスナーFにスライダー３を取り付け、前記四枚のシートのうち左右の二枚の外側のシート（１A、１B）上端部には、持ち手を付ける挟持具４で挟持してなることを特徴とするスライダーを設けたファスナー付袋体。
【請求項２】
表面シート６Aと裏面シート６Bとを有し、左右両端部及び下端部の周縁部をシールして開口部７を設けた袋体６であって、
該袋体１の開口部２の近傍の左右両面に内向きと外向きに二か所（１１，１２）を折り曲げて開口部２近傍の前後にそれぞれ三枚シート（６A、６C、６Dおよび６B、６E、６F）が形成されるように該袋体の左右の縁部をシールし、前記一方の三枚のシートのうち内側の左右各１枚（6D、6F）の端部には一方に凹部を設けると共に他方には前記凹部に嵌合する凸部を設けたファスナーFを設け、該ファスナーFにスライダー３を取りつけ、折り曲げ部（１１，１１）のある他の各左右二枚（6A、6Dおよび6B、6E）のシート端部には、持ち手（２０）を付ける挟持具４で挟持してなることを特徴とするスライダーを設けたファスナー付袋体。
【請求項３】
前記挟持具４は、二股の板状材（４A、４B）とし、一方には凸部（４C）を設け、他方には前記凸部（４C）をシート部に穿設した穴を介して通し、押して入る程度の穴（４D）を穿設してなる挟持具であることを特徴とする請求項１または請求項２に記載のスライダーを設けたファスナー付袋体。
【請求項４】
前記袋体１の開口部２の近傍の左右両面外側と前記横長の短いシートの下部とは、超音波シールまたは熱溶着シールであることを特徴とする請求項１または請求項２に記載のスライダーを設けたファスナー付袋体。
【請求項５】
左右両端部及び下端部の周縁部をシールして開口部２を設けた袋体１には、底部にマチ１０を設けたことを特徴とする請求項１または請求項２に記載のスライダーを設けたファスナー付袋体。
【請求項６】
ファスナーに取り付けるスライダー３は、ファスナーを開く突起を設けたスライダー部３Aと、開いたファスナーを閉じるスライダー部３Bとの分割型のスライダーを合体させて設けたスライダーであることを特徴とする請求項１または請求項２に記載のスライダーを設けたファスナー付袋体。
【手続補正書】
【提出日】平成24年3月9日(2012.3.9)
【手続補正１】
【補正対象書類名】特許請求の範囲
【補正対象項目名】全文
【補正方法】変更
【補正の内容】
【特許請求の範囲】
【請求項１】
表面シート１Aと裏面シート１Bとを有し、左右両端部及び下端部の周縁部をシールして開口部２を設けた袋体であって、
該袋体１の開口部２の近傍の左右両面内側に横長の短いシートの下部を接着して、上側に四枚のシート（1A、1B、1C、1D）を形成し、前記四枚のシートのうち左右の内側のシート（１C、１D）上端部には一方に凹部を設け、他方には前記凹部に嵌る凸部を設けたファスナーFを設けるとともに該ファスナーFには、該ファスナーFを開く突起を設けたスライダー部３Aと、開いたファスナーFを閉じるスライダー部３Bとの分割型のスライダーを合体させたスライダー３を取り付け、前記四枚のシートのうち左右の二枚の外側のシート（１Ａ，１Ｂ）上端部には、持ち手２０を付ける挟持具４で挟持する前記ファスナーFに取り付けるスライダー３は、であることを特徴とするスライダーを設けたファスナー付袋体。
【請求項２】
表面シート６Aと裏面シート６Bとを有し、左右両端部及び下端部の周縁部をシールして開口部７を設けた袋体６であって、
該袋体１の開口部２の近傍の左右両面に内向きと外向きに二か所を折り曲げて開口部２近傍の前後にそれぞれ三枚シート（６A、６C、６Dおよび６B、６E、６F）が形成されるように該袋体の左右の縁部をシールし、前記一方の三枚のシートのうち内側の左右各１枚（6D、6F）の端部には一方に凹部を設けると共に他方には前記凹部に嵌合する凸部を設けたファスナーFを設け、該ファスナーFには、スライダー３を前記凹部に嵌る凸部を設けたファスナーFを設けるとともに該ファスナーFには、該ファスナーFを開く突起を設けたスライダー部３Aと、開いたファスナーFを閉じるスライダー部３Bとの分割型のスライダーを合体させたスライダー３を取り付け、前記四枚のシートのうち他の各左右二枚（6A、6Ｃおよび6B、6E）のシート端部には、持ち手２０を付ける挟持具４で挟持してなることを特徴とするスライダーを設けたファスナー付袋体。
【請求項３】
前記挟持具４が、二股の板状材（４A、４B）と、シート部（１A、１B）の一方には凸部４Cを設けるとともに他方には、該凸部が押して入る程度の穴４Dを設けてなることを特徴とする請求項１または請求項２に記載のスライダーを設けたファスナー付袋体。
【請求項４】
前記袋体を構成する横長のシート部１Ｃと裏面側のシート部１Ｄは、シート開口部２の近傍の左右両面内側に接着してあることを特徴とする請求項１または請求項２に記載のスライダーを設けたファスナー付袋体。
【請求項５】
左右両端部及び下端部の周縁部をシールして開口部を設けた袋体（１，６）には、底部にマチ１０を設けたことを特徴とする請求項１または請求項２に記載のスライダーを設けたファスナー付袋体
【手続補正２】
【補正対象書類名】明細書
【補正対象項目名】全文
【補正方法】変更
【補正の内容】
【発明の詳細な説明】
【技術分野】
【０００１】
本発明は、衣類や化粧品或いはハンカチーフ等の身の回り品、その他色々な買い物類を収納し、持ち歩くのにも便利な特殊なスライダーを設けたファスナー付袋体に関する。
【背景技術】
【０００２】
従来、少し大事な小物類や化粧品或いは買いたての宝飾品や財布等は、ハンドバッグに入れて持ち歩く。しかし、近年は紙や合成樹脂製の袋体で丈夫なものがあり、このような小物類や衣類等はハンドバッグを使用するまでもない場合がある。しかしながらこれらの紙や合成樹脂製の袋体に、ハンドバッグのようにジッパーやチャックを設けたものは殆ど無く、盗難にも逢い易いし、気づかないうちに中の物が落下することもある。中にはファスナーを取り付けたものもあるが（下記特許文献１）、開閉には手を使用するため特に閉めた状態が完全とは言えず、本人は閉めたと思っていても半開きの状態であることも多い。
【０００３】
従来の不正開封防止手段としては、開閉防止部材１を袋体２とは別体に設け、この開閉部材１にはファスナー１０にスライダー１５を設け,該袋体２と開閉防止部材１は一体にしてある（符号は引用文献１のものをそのまま使用）。この状態で袋体２に商品を入れて陳列してあり、商品の購入者が袋体を使用する時には切断部３０で切断して開封するようになっている。前記スライダー１５を設ける部分には切欠部２３を設けているが、比較的複雑な構造である。この場合、ファスナー１０にスライダー１５を設けるのは不正開封を防止するのが主要意図（盗難防止）であって、この状態で袋体２に商品を入れて陳列してある。前記切欠部２３を設けるのはスライダー１５をスライドさせ袋体２を勝手に開封しないようにするためである（特許文献１）。
また、店先で商品を入れた盗難防止用の袋体としては、ファスナーやスライダーは設けられていないが、特許文献２、や特許文献３等に記載されているものが知られている。
【先行技術文献】
【特許文献】
【０００４】
【特許文献１】実用新案登録第３０７７１３１号
【特許文献２】特開２００５−０４５２１号
【特許文献３】特開２００９−１２０２４０号
【発明の概要】
【発明が解決しようとする課題】
【０００５】
種々の商品を販売しているストア或いはスーパーマーケットでは、商品を入れている紙製や合成樹脂製の袋体は、単に包装用袋としか扱われていない。そのような袋体をバッグ代わりに持ち歩いたとしても、それは一時的な代用品として持つのであり、紙製や合成樹脂製紙の袋体を普段のバッグとして使用することは考えられていない。このような紙製の袋体には丈夫な蓋或いは開口部を閉じる手段がないため中に商品を入れて店頭に陳列したり、持ち歩いても中の商品の盗難を防止する方法はない。ファスナーを設けた袋体もあるが確実に蓋をすることはできない。
【０００６】
また、紙製の袋体は丈夫に且つ綺麗に作っても中の商品を取り出したら廃棄処分され、せっかく丈夫に且つ綺麗に作ったことが無駄になることも多い。特にブランド品などは、おしゃれな袋体を使用することが多いが、袋体として使用した後の使い道が無いのはもったいないといえる。また、このような紙製或いは合成樹脂製の袋体は通常の紙袋などよりも高いコストかかり値段も高い。
【０００７】
袋体には、上記するように小物類や財布などの比較的小型のものを入れる袋体もあるが、近年の袋体には、洋服やオーバーコート等の大型の衣類を購入して収納し、そのまま持ち帰る袋体もある。そのような場合、洋服やオーバーコート等の大型の衣類を入れた袋体がそれなりのファッション性を有するものであれば所有者は抵抗無く持ち歩くことができるが、そのような盗難防止を兼ねた袋体は見られない。
【０００８】
本発明は上記する課題に対処するためになされたものであり、衣類や化粧品或いはハンカチーフ等の身の回り品等の小物類を収納できるだけでなく、盗難防止も可能で洋服やオーバーコート等の大型の衣類等にも応用できる持ち運びに便利で、ファション性があり、普段も長く使用することのできるスライダーを設けたファスナー付袋体を提供することを目的としている。
【課題を解決するための手段】
【０００９】
すなわち、上記課題を解決するために、請求項１に記載の発明は、表面シート１Aと裏面シート１Bとを有し、左右両端部及び下端部の周縁部をシールして開口部２を設けた袋体１であって、
該袋体１の開口部２の近傍の左右両面内側に横長の短いシートの下部を接着して、上側に四枚のシート（1A、1B、1C、1D）を形成し、前記四枚のシートのうち左右の内側のシート（１C、１D）上端部には一方に凹部を設け、他方には前記凹部に嵌る凸部を設けたファスナーFを設けるとともに該ファスナーFには、
該ファスナーFを開く突起を設けたスライダー部３Aと、開いたファスナーFを閉じるスライダー部３Bとの分割型のスライダーを合体させたスライダー３を取り付け、前記四枚のシートのうち左右の二枚の外側のシート（１Ａ，１Ｂ）上端部には、持ち手２０を付ける挟持具４で挟持する前記ファスナーFに取り付けるスライダー３は、であることを特徴とするスライダーを設けたファスナー付袋体、である。
【００１０】
また、請求項２に記載の発明は、表面シート６Aと裏面シート６Bとを有し、左右両端部及び下端部の周縁部をシールして開口部7を設けた袋体6であって、
該袋体１の開口部２の近傍の左右両面に内向きと外向きに二か所を折り曲げて開口部２近傍の前後にそれぞれ三枚シート（６A、６C、６Dおよび６B、６E、６F）が形成されるように該袋体の左右の縁部をシールし、前記一方の三枚のシートのうち内側の左右各１枚（6D、6F）の端部には一方に凹部を設けると共に他方には前記凹部に嵌合する凸部を設けたファスナーFを設け、該ファスナーFには、スライダー３を前記凹部に嵌る凸部を設けたファスナーFを設けるとともに該ファスナーFには、該ファスナーFを開く突起を設けたスライダー部３Aと、開いたファスナーFを閉じるスライダー部３Bとの分割型のスライダーを合体させたスライダー３を取り付け、前記四枚のシートのうち他の各左右二枚（6A、6Dおよび6B、6E）のシート端部には、持ち手２０を付ける挟持具４で挟持してなるスライダーを設けたファスナー付袋体、である。
【００１１】
更に、請求項３に記載の発明は、前記挟持具４が、二股の板状材（４A、４B）と、シート部（１A、１B）の一方には凸部４Cを設けるとともに他方には、該凸部が押して入る程度の穴４Dを設けてなることを特徴とする。
【００１２】
また、請求項４に記載の発明は、前記袋体を構成する横長のシート部１Ｃと裏面側のシート部１Ｄは、シート開口部２の近傍の左右両面内側に接着してあることを特徴とする。
【００１３】
更に、請求項５に記載の発明は、左右両端部及び下端部の周縁部をシールして開口部を設けた袋体（１，６）には、底部にマチ１０を設けたことを特徴とする。
【発明の効果】
【００１４】
本発明によれば、従来の袋体は、単に包装用袋としてしか使用されなかたが長持ちさせかつファッション性にも優れた袋体として使用することができる。また、ファスナーにスライダーを設けたことから盗難防止にもなり、蓋の代わりともなる。さらに袋の中のものを不用意に落とすこともなくなる。
【００１５】
また、比較的かっこいいファッシヨナブルな袋体となり、ハンドバッグの代わりとして使用することができる。そして、紙製或いは合成樹脂製の袋体は丈夫に且つ綺麗に作り、中の商品を取り出しても廃棄処分することなく再使用することができる。特に、ブランド品などを購入したとき、そのままブランド品などを入れて持ち歩くことも可能な袋体となる。したがってブランド品や有名商品の販売時の袋体として特に最適である。
【００１６】
本発明のスライダーを設けたファスナー付袋体は、小は小物入れ用の袋体から大は洋服やオーバーコート等の大型の衣類を入れる袋体まで広く使用することができる。特に本発明で使用するスライダーは、分割可能であり、取り外して他の袋体にも使用することができる。
【図面の簡単な説明】
【００１７】
【図１】図１は、本発明の袋体の側面図である。
【図２】図２（A）は図１のA―A矢視図であり、図２（B）は、図２（A）の部分の拡大図である
【図３】図３は、ファスナーとスライダーとの詳細拡大図である。
【図４】シートのみを示した斜視図である。
【図５】図５は、上記実施例で示した挟持具の斜視図である
【図６】図６は、本発明の袋体の図１のA―A矢視断面図であって、本発明の袋体の他の実施例を示した図である。
【図７】図７は、本願発明の袋体であって比較的幅の広い袋体の場合を示す全体側面図である。
【図８】図８は、図７の袋体と同様の袋体であって比較的幅の広い袋体の場合を示す全体側面図である。
【図９】図９（A）は、上記袋体で使用されるスライダーの斜視図であり、図９（B）は、その分解図である。
【図１０】図１０（A）は、本発明の袋体で使用されスライダーの斜視図であり、図１０（B）はその分解図である。
【図１１】図１１（A）は、大型の袋体で使用されるスライダーの組立斜視図であり、図１１（B）は、その分解図である
【発明を実施するための形態】
【００１８】
図１は、本発明の袋体の側面図であり、図２（A）は図１のA―A矢視図であり、図２（B）は、図２（A）のシート部分の拡大図である。また、図３は、図２（A）のP部拡大図である。
【００１９】
本発明のスライダーを設けたファスナー付袋体１は、表面シート１Aと裏面シート１Bとを有している。これらの表面シート１Aと裏面シート１Bは、左右両端部及び下端部の周縁部X、Y、Zをシールして開口部2を設けてある。
【００２０】
図１及び図２(A)、（B）に示すように、開口部2にはファスナーFが設けられている。すなわち、前記袋体１の開口部２の近傍の左右両面内側には、横長の短いシート１C、１Dの下部を１A、１Bに接着してある。したがって、図２（B）に示すように、該袋体１には上側に四枚のシート１A、１B、１C、１D（２枚は表面シート１Aと裏面シート１Bが形成される。シート１C、１Dの下部の接着は超音波シールまたは熱溶着シールである。なお、図２（B）はシート１A、１B、１C、１Dのみを示した断面である。また、図４も、シートの上部のみを示した斜視図である。
【００２１】
図３は、図２（A）のＰ部拡大図である。前記四枚のシートのうち左右の内側のシート１C、１Dの上端部には一方に凸条部を設け、他方には前記凸部に嵌合する凹状部を設けたファスナーFが設けられるととともに該ファスナーFには、袋体１の開口部２を開閉するスライダー３が取り付けられている。前記四枚のシートのうち左右の二枚の外側のシート１A、１B上端部には、袋体１に取り付ける持ち手２０の挟持具４で挟持されている。図４は、本発明の袋体１で使用する挟持具４の斜視図である。
【００２２】
図３に示すように、前記ファスナーFは、袋体１の開口部２の近傍の一方の内シート１Cの側面に凸条部を設けた雄係合部材F１を接着し、他方のシート１Dの内側面には前記凸条部を係脱自在に嵌め入れる凹条部の係合溝を設けた雌係合部材F２を接着して構成される。そして該ファスナーFには、スライダー3が設けられる。このスライダー３については後述する（図９参照）。
【００２３】
図５は、上記実施例で示した挟持具4の斜視図である。
図１や図２に示す挟持具4は、持ち手２０の先に取り付けるが、この挟持部４は二股の板状材４A、４Bとして形成し、一方には凸部４C、４Cを設け、他方には前記凸部４C、４Cをシート部１Cまたは１Dに穿設した穴を介して通し、押して入る程度の穴４D、４Dを穿設してある。なお、これらの凸部４C、４Cや穴４D、４Dは各一組が嵌合すればよい。該挟持具４は、取り外して他の袋体の持ち手２０に使用することもできる。
【００２４】
図６は、本発明の袋体の図１のA―A矢視断面図であって、本発明の袋体１と同様の他の袋体６の実施例を示した図である。この袋体６の外観は図１と同様である。該袋体６の開口部２の近傍の左右両面には内向きと外向きに二か所（１１、１２）を折り曲げて開口部７近傍の前後にそれぞれ各三枚のシート６A、６C、６D及び６B、６E、６F（6Aと6Bは、表面シート６Aと裏面シート6Bである。）が形成されている。また、該袋体６の左右および底部の縁部は、図１と同様にシールしてある。前記一方の三枚のシートのうち内側の左右各１枚（６D、６F）の端には一方に凹部を設けると共に他方には前記凹部に嵌合する凸部を設けたファスナーFを設け、該ファスナーFにスライダー3を取りつけ、折り曲げ部１１、１２を設け、開口部７近傍の前後にそれぞれ各三枚６Ａ，６Ｃ、６Ｄ及び６Ｂ、６Ｅ、６Ｆ（６Ａと６Ｂは、表面シート６Ａと裏面シート６Ｂである。）が形成されている。また、該袋体６の左右および底部は、図１と同様にシールしてある。前記三枚のシートのうち内側の左右各１枚６Ｄと６Ｆの端には、一方に凹部を設けると共に他方には凹部に嵌合する凸部を設け、該ファスナーＦにスライダー３を取りつけ、折り曲げ部１１のある他方の左右各二枚のシート（６Ａ、６Ｃおよび６Ｂ、６Ｅ）には、持ち手２０の挟持具４で挟持するようにしてある。この構成は図２（A）と同様である。
【００２５】
前記袋体１或いは６は、左右両端部及び下端部の周縁部をシールして開口部２、７を設けた袋体としたが、図１や図６に示すように該袋体１や６には、底部にマチ１０を設けてスライダー３を設けたファスナー付袋体１としてもよい。このマチ１０を設けると、袋体１、６の中に入れる物の量を多くすることができ、分厚い服類も入れやすくなる。
【００２６】
図７は、本願発明の袋体であって比較的幅の広い袋体を示す全体側面図である。挟持具４は、前記図１や図２に示すようなものに限らずこのように五角形状のもの等でも良く、他の形状でも良い。また、ファスナーFとスライダー３を設ける開口部２の上端縁の位置は、図７に示すように、外側の挟持具４を取り付ける上端縁の位置より高くても良く（図１も同様）、逆に次に説明する図８に示すように、外側の挟持具４を取り付ける上端縁の位置より低くしても良い。  
【００２７】
図８は、図７の袋体と同様の袋体であって比較的幅の広い袋体の場合を示す全体側面図である。本実施例では、前記挟持具４は使用せず開口部２の両外側の上端部に持ち手２０の紐２１を外側のシートに穴を設けて通し脱落しないように結んだものである。したがって前記挟持具４を設けない分安く簡単である。
【００２８】
図９（A）は、上記袋体１で使用されるスライダー３をファスナーFに取り付けた状態の斜視図であり、図９（B）は、その分解図である。この図に示すように、スライダー３は二つの部分３Aと３Bに分解できるようにしてある。雄のスライダー部３Aには突出部３E、３Eが設けられ、雌のスライダー部３Bには前記突出部３E、３Eが嵌る穴３Fが設けられている。このようにスライダー３を分解した構成とすると袋体のファスナーFに嵌めたり、外したりしやすくなる。また、他の袋体にも取り付けやすくなる。そして、雄のスライダー部３Aは閉じたファスナーを開くためであり、雌のスライダー部３Bは開いたファスナーを閉じるためである。
【００２９】
図１０は、本発明の袋体１や６で使用されスライダー３をファスナーFにとりつけた状態の斜視図であり、比較的大型のスライダーを使用する場合を示す。この大型のスライダー３は大きな袋体向きである。この袋体１や６のファスナーFに取り付けるスライダー３も二つの部分雄のスライダー部３Aと雌のスライダー部３Bに分解できるようにしてある。
【００３０】
図１１（A）は、大型の袋体１、６で使用されるスライダー３の組立斜視図であり、図１１（B）は、その分解図である。この大型のスライダー３は、図３（B）に示すように分解した状態で雄のスライダー部３Aを上からファスナーFに嵌め入れ，次いで雌のスライダー部３Bを嵌め入れ、ファスナーFで合体させる。この雄のスライダー部３Aには突出部３E、３Eが設けられ雌のスライダー部３Bに設けられた穴３Fに嵌めこまれるようになっている。スライダー３をこのような構成にすればスライダー３は取り替えて種々の袋体に使用することができる。
なお、図９（A）と図１０は、図１や図６に示す袋体１や６の上部のシート１A
や１Bやシート６Aや６B等省略してある。
【産業上の利用可能性】
【００３１】
本発明のスライダーを設けたファスナー付袋体は、店頭で販売された商品を従来の包装袋の代わりに使用することができる。しかもこれらの袋体（１，６）は、ハンドバッグの代わりとして使用することができるので広く販売、使用することが可能となり袋体の利用範囲が広くなり、産器用上の利用性も高くなる。そして従来使用されてきた包装用袋体は使用せずに済むので無駄もなくなる。
【符号の説明】
【００３２】
１    袋体
１A  表面シート
１B  裏面シート
２    開口部
３    スライダー
４    挟持具
５    把持部
６    袋体
６A  表面シート
６B  裏面シート
７    開口部
１０  マチ
２０  持ち手
【手続補正書】
【提出日】平成24年6月26日(2012.6.26)
【手続補正１】
【補正対象書類名】明細書
【補正対象項目名】全文
【補正方法】変更
【補正の内容】
【発明の詳細な説明】
【技術分野】
【０００１】
本発明は、衣類や化粧品或いはハンカチーフ等の身の回り品、その他色々な買い物類を収納し、持ち歩くのにも便利な特殊なスライダーを設けたファスナー付袋体に関する。
【背景技術】
【０００２】
従来、少し大事な小物類や化粧品或いは買いたての宝飾品や財布等は、ハンドバッグに入れて持ち歩く。しかし、近年は紙や合成樹脂製の袋体で丈夫なものがあり、このような小物類や衣類等はハンドバッグを使用するまでもない場合がある。しかしながらこれらの紙や合成樹脂製の袋体に、ハンドバッグのようにジッパーやチャックを設けたものは殆ど無く、盗難にも逢い易いし、気づかないうちに中の物が落下することもある。中にはファスナーを取り付けたものもあるが（下記特許文献１）、開閉には手を使用するため特に閉めた状態が完全とは言えず、本人は閉めたと思っていても半開きの状態であることも多い。
【０００３】
従来の不正開封防止手段としては、開閉防止部材１を袋体２とは別体に設け、この開閉部材１にはファスナー１０にスライダー１５を設け,該袋体２と開閉防止部材１は一体にしてある（符号は引用文献１のものをそのまま使用、以下同様）。この状態で袋体２に商品を入れて陳列してあり、商品の購入者が袋体を使用する時には切断部３０で切断して開封するようになっている。前記スライダー１５を設ける部分には切欠部２３を設けているが、比較的複雑な構造である。この場合、ファスナー１０にスライダー１５を設けるのは不正開封を防止するのが主要意図（盗難防止）であって、この状態で袋体２に商品を入れて陳列してある。前記切欠部２３を設けるのはスライダー１５をスライドさせ袋体２を勝手に開封しないようにするためである（特許文献１）。
また、店先で商品を入れた盗難防止用の袋体としては、ファスナーやスライダーは設けられていないが、特許文献２、や特許文献３等に記載されているものが知られている。
【先行技術文献】
【特許文献】
【０００４】
【特許文献１】実用新案登録第３０７７１３１号
【特許文献２】特開２００５−０４５２１号
【特許文献３】特開２００９−１２０２４０号
【発明の概要】
【発明が解決しようとする課題】
【０００５】
種々の商品を販売しているストア或いはスーパーマーケットでは、商品を入れている紙製や合成樹脂製の袋体は、単に包装用袋としか扱われていない。そのような袋体をバッグ代わりに持ち歩いたとしても、それは一時的な代用品として持つのであり、紙製や合成樹脂製紙の袋体を普段のバッグとして使用することは考えられていない。このような紙製の袋体には丈夫な蓋或いは開口部を閉じる手段がないため中に商品を入れて店頭に陳列したり、持ち歩いても中の商品の盗難を防止する方法はない。中には、ファスナーを設けた袋体もあるが確実に蓋をすることはできない。
【０００６】
また、紙や合成樹脂製の袋体は丈夫に且つ綺麗に作っても中の商品を取り出したら廃棄処分され、せっかく丈夫に且つ綺麗に作ったことが無駄になることも多い。特にブランド品などは、おしゃれな袋体を使用することが多いが、袋体として使用した後の使い道が無いのはもったいないといえる。また、このような紙製或いは合成樹脂製の袋体は通常の紙や合成樹脂製の袋体はファスナーしか設けられていないのに高いコストかかり値段も高い。
【０００７】
袋体には、上記するように小物類や財布などの比較的小型のものを入れる袋体もあるが、近年の袋体には、洋服やオーバーコート等の大型の衣類を購入して収納し、そのまま持ち帰る袋体もある。そのような場合、洋服やオーバーコート等の大型の衣類を入れた袋体がそれなりのファッション性を有するものであれば所有者は抵抗無く持ち歩くことができるが、そのような盗難防止を兼ねた袋体は見られない。
【０００８】
本発明は上記する課題に対処するためになされたものであり、衣類や化粧品或いはハンカチーフ等の身の回り品等の小物類を収納できるだけでなく、盗難防止も可能で洋服やオーバーコート等の大型の衣類等にも応用できる持ち運びに便利で、ファション性があり、普段も長く使用することのできるスライダーを設けたファスナー付袋体を提供することを目的としている。
【課題を解決するための手段】
【０００９】
請求項１に記載の発明は、表面シート６Ａと裏面シート６Ｂとを有し、左右両端部及び下端部の周縁部をシールして開口部7を設けた袋体６であって、
該袋体６の開口部７の近傍の左右両面に内向きと外向きに二か所（１１，１２）を折り曲げて該開口部７近傍の前後にそれぞれ三枚シート（６Ａ、６Ｃ、６Ｄおよび６Ｂ、６Ｅ、６Ｆ）が形成されるように該袋体６の左右及び下部の縁部（Ｘ、Ｙ、Ｚ）をシールし、前記一方の三枚のシートのうち内側の左右各１枚（6Ｄ、6Ｆ）の端部には一方に凸条部を形成すると共に他方には前記凸条部を嵌合する凹条部を形成したファスナーＦを設け、該ファスナーＦには、このファスナーＦの勘合状態を開く突起を設けたスライダー部３Ａと、開いたファスナーＦを閉じるスライダー部３Ｂとの分割型のスライダーを合体させて取り付け、前記四枚のシートのうち各左右二枚（6Ａ、6Ｃおよび6Ｂ、6Ｅ）のシート端部には、持ち手２０を付ける挟持具４を挟持してなるスライダーを設けたスライダーを設けたファスナー付袋体、であることを特徴としている。
【００１０】
更に、請求項２に記載の発明は、前記持ち手２０に付ける前記挟持具４を二股の板状材（４Ａ、４Ｂ）とするとともに、該二股の板状材の一方には凸部４Ｃを設けるとともに、他方には６Ａ，６Ｃを介して該凸部４Ｃが押して入る程度の穴４Ｄを設けてなることを特徴としている。
【００１１】
更に、請求項３に記載の発明は、請求項１または請求項２の左右両端部及び下端部の周縁部をシールして開口部７を設けた袋体６には、底部にマチ１０を設けてなることを特徴としている。
【発明の効果】
【００１２】
本発明によれば、従来の袋体は、単に包装用袋としてしか使用されなかたが長持ちさせかつファッション性にも優れた袋体として使用することができる。また、ファスナーにスライダーを設けたことから盗難防止にもなり、蓋の代わりともなる。さらに袋の中のものを不用意に落とすこともなくなる。
【００１３】
また、比較的かっこいいファッシヨナブルな袋体となり、ハンドバッグの代わりとして使用することができる。そして、紙製或いは合成樹脂製の袋体は丈夫に且つ綺麗に作り、中の商品を取り出しても廃棄処分することなく再使用することができる。特に、ブランド品などを購入したとき、そのままブランド品などを入れて持ち歩くことも可能な袋体となる。したがってブランド品や有名商品の販売時の袋体として特に最適である。
【００１４】
本発明のスライダーを設けたファスナー付袋体は、小は小物入れ用の袋体から大は洋服やオーバーコート等の大型の衣類を入れる袋体まで広く使用することができる。特に本発明で使用するスライダーは、分割可能であり、取り外して他の袋体にも使用することができる。
【図面の簡単な説明】
【００１５】
【図１】図１は、本発明のスライダーを設けたファスナー付袋体の側面図である。
【図２】図２は図１のＡ―Ａ矢視図である。
【図３】図３は、図２のＰ部の図であってファスナーとスライダーとの詳細拡大断面図である。
【図４】図４は、挟持具の斜視図である。
【図５】図５は、本願発明のスライダーを設けたファスナー付袋体であって比較的幅の広い袋体の他の実施例の全体側面図である。
【図６】図６は、図１のスライダーを設けたファスナー付袋体と同様の袋体であって比較的幅の広い袋体の全体側面図である
【図７】図７（Ａ）は、上記袋体１で使用されるスライダーをファスナーに取り付けた状態の斜視図であり、図７（Ｂ）は、その分解図である。
【図８】図８は、本発明のスライダーを設けたファスナー付袋体で使用されスライダーをファスナーにとりつけた状態の斜視図であり、比較的大型のスライダーを使用する場合を示す
【図９】図９（Ａ）は、スライダー付袋体で使用されるスライダーの組立斜視図であり、図９（Ｂ）は、その分解図である
【発明を実施するための形態】
【００１６】
図１は、本発明の袋体の側面図であり、図２は図１のＡ―Ａ矢視図である。また、図３は、図２のＰ部拡大図である。
【００１７】
図１は、本発明の袋体６の実施例側面図であって、本発明の袋体６の実施例を示した図である。本発明のスライダーを設けたファスナー付袋体６は、表面シート６Ａと裏面シート６Ｂとを有している。これらの表面シート６Ａと裏面シート６Ｂは、左右両端部及び下端部の周縁部Ｘ、Ｙ、Ｚをシールして開口部７を設けてある。
【００１８】
この袋体６の外観は、開口部７の近傍の左右両面には内向きと外向きに二か所（１１、１２）を折り曲げて開口部７近傍の前後にそれぞれ各三枚のシート６Ａ、６Ｃ、６Ｄ及び６Ｂ、６Ｅ、６Ｆ（6Ａと6Ｂは、表面シート６Ａと裏面シート6Ｂである。）が形成されている。また、該袋体６の左右および底部の縁部（Ｘ、Ｙ、Ｚ）はシールしてある。前記一方の三枚のシートのうち内側の左右各１枚（６Ｄ、６Ｆ）の端には一方に凸条部を形成すると共に他方には前記凸条部を嵌合する凹条部を形成するファスナーＦを設け、該ファスナーＦにスライダー3を取りつけ、折り曲げ部１１、１２を設け、開口部７近傍の前後にそれぞれ各三枚６Ａ，６Ｃ、６Ｄ及び６Ｂ、６Ｅ、６Ｆ（６Ａと６Ｂは、表面シート６Ａと裏面シート６Ｂである。）が形成されている。また、該袋体６の左右および底部は、前記するようにシールしてある。この発明の袋体６は、前記三枚のシートのうち内側の左右各１枚６Ｄと６Ｆの端には、一方に凸条部を設けると共に他方には前記凸条部を嵌合する凹条部を設け、該ファスナーＦにスライダー３を取りつけ、折り曲げ部１１のある他方の左右各二枚のシート（６Ａ、６Ｃおよび６Ｂ、６Ｅ）には、持ち手２０の挟持具４で挟持して持つようにしてある。
【００１９】
前記ファスナーＦには、該ファスナーＦの勘合状態を開く突起を設けたスライダー部３Ａと、開いたファスナーＦを閉じるスライダー部３Ｂとの分割型のスライダーを合体させたスライダー３が取付けられている。すなわち、このファスナー付袋体６のファスナーＦに取付けるスライダー３は、分割型スライダー３である。
【００２０】
図１及び図２に示すように、開口部７にはファスナーＦが設けられている。すなわち、前記袋体６の開口部７の近傍の左右両面内側には、折り曲げ部（１１，１２間）の横長の短いシート（６Ｃ、６Ｄおよび６Ｅ，６Ｆ）の下部が６Ａおよび６Ｂにつながっている。該袋体６には上側に六枚のシート６Ａ、６Ｂ、６Ｃ、６Ｄ、６Ｅ、６Ｆ（２枚は表面シート６Ａと裏面シート６Ｂが形成される。
【００２１】
図３は、図２のＰ部拡大図である。前記四枚のシートのうち左右の内側のシート６Ｄ、６Ｆの上端部には一方に凸条部を設け、他方には前記凸部に嵌合する凹状部を設けたファスナーＦが設けられるととともに該ファスナーＦには、袋体６の開口部７を開閉するスライダー３が取り付けられている。前記四枚のシートのうち左右の二枚の外側のシート（６Ａ、６Ｃ）および（６Ｂ、６Ｅ）上端部には、袋体６に取り付ける持ち手２０の挟持具４で挟持されている。図４は、本発明の袋体６で使用する挟持具４の斜視図である。
【００２２】
図３に示すように、前記ファスナーＦは、袋体６の開口部７の近傍の一方の内シート６Ｃの側面に凸条部を設けた雄係合部材Ｆ１を接着し、他方のシート６Ｂ、６Ｅの内側面には前記凸条部を係脱自在に嵌め入れる凹条部の係合溝を設けた雌係合部材Ｆ２を接着して構成される。そして該ファスナーＦには、分割型のスライダー3が設けられる。このスライダー３については後述する（図９参照）。
【００２３】
図４は、上記実施例で示した挟持具４の斜視図である。
図１や図２に示す挟持具４は、持ち手２０の先に取り付けるが、この挟持部４は二股の板状材４Ａ、４Ｂとして形成し、一方には凸部４Ｃ、４Ｃを設け、他方には前記凸部４Ｃ、４Ｃに設けた穴４Ｄ、４Ｄをシート部６Ａおよび６Ｃ、更に６Ｂおよび６Ｅに穿設した穴を介して通し、押して入る程度の穴４Ｄ、４Ｄを穿設してある。なお、これらの凸部４Ｃ、４Ｃや穴４Ｄ、４Ｄは各一組が嵌合すればよい。該挟持具４は、取り外して他の袋体の持ち手２０に使用することもできる。
【００２４】
前記袋体６は、左右両端部及び下端部の周縁部をシールして開口部７を設けた袋体としたが、図１に示すように該袋体６には、底部にマチ１０を設けてスライダー３を設けたファスナー付袋体６としてもよい。このマチ１０を設けると、袋体６の中に入れる物の量を多くすることができ、分厚い服類も入れやすくなる。
【００２５】
図５は、本願発明の袋体であって比較的幅の広い袋体を示す他の実施例の全体側面図である。挟持具４は、前記図１や図２に示すようなものに限らずこのように五角形状のもの等でも良く、他の形状でも良い。また、ファスナーＦとスライダー３を設ける開口部７の上端縁の位置は、図６に示すように、外側の挟持具４を取り付ける上端縁の位置より低くても良い。勿論高くても良い。  
【００２６】
図６は、図１の袋体と同様の袋体であって比較的幅の広い袋体の場合を示す全体側面図である。本実施例では、前記挟持具４は使用せず開口部７の両外側の上端部に持ち手２０の紐を外側のシートに穴を設けて通し脱落しないように結んだものである。したがって前記挟持具４を設けない分安く簡単である。
【００２７】
図７（Ａ）は、上記袋体１で使用されるスライダー３をファスナーＦに取り付けた状態の斜視図であり、図７（Ｂ）は、その分解図である。この図に示すように、スライダー３は二つの部分３Ａと３Ｂに分解できるようにしてある。雄のスライダー部３Ａには突出部３Ｅ、３Ｅが設けられ、雌のスライダー部３Ｂには前記突出部３Ｅ、３Ｅが嵌る穴３Ｆが設けられている。このようにスライダー３を分解した構成とすると袋体のファスナーＦに嵌めたり、外したりしやすくなる。また、他の袋体にも取り付けやすくなる。そして、雄のスライダー部３Ａは閉じたファスナーを開くためのものであり、雌のスライダー部３Ｂは開いたファスナーを閉じるためのものである。
【００２８】
図８は、本発明の袋体６で使用されスライダー３をファスナーＦにとりつけた状態の斜視図であり、比較的大型のスライダーを使用する場合を示す。この大型のスライダー３は大きな袋体向きである。この袋体６のファスナーＦに取り付けるスライダー３も二つの部分雄のスライダー部３Ａと雌のスライダー部３Ｂに分解できるようにしてある。
【００２９】
図９（Ａ）は、大型の袋体６で使用されるスライダー３の組立斜視図であり、図９（Ｂ）は、その分解図である。この大型のスライダー３は、図９（Ｂ）に示すように分解した状態で雄のスライダー部３Ａを上からファスナーＦに嵌め入れ，次いで雌のスライダー部３Ｂを嵌め入れ、ファスナーＦで合体させる。この雄のスライダー部３Ａには突出部３Ｅ、３Ｅが設けられ雌のスライダー部３Ｂに設けられた穴３Ｆに嵌めこまれるようになっている。スライダー３をこのような構成にすればスライダー３は取り替えて種々の袋体に使用することができる。
【産業上の利用可能性】
【００３０】
本発明のスライダーを設けたファスナー付袋体は、店頭で販売された商品を従来の包装袋の代わりに使用することができる。しかもこの袋体６は、ハンドバッグの代わりとして使用することができるので広く販売、使用することが可能となり袋体の利用範囲が広くなり、産器用上の利用性も高くなる。そして従来使用されてきた包装用袋体は使用せずに済むので無駄もなくなる。
【符号の説明】
【００３１】
３    スライダー
３Ａ  スライダー部（雄）
３Ｂ  スライダー部（雌）
４    挟持具
５    把持部
６    袋体
６Ａ  表面シート
６Ｂ  裏面シート
７    開口部
１０  マチ
１１  折り目
１２  折り目
２０  持ち手
【手続補正２】
【補正対象書類名】特許請求の範囲
【補正対象項目名】全文
【補正方法】変更
【補正の内容】
【特許請求の範囲】
【請求項１】
表面シート６Ａと裏面シート６Ｂとを有し、左右両端部及び下端部の周縁部をシールして開口部7を設けた袋体６であって、
該袋体６の開口部７の近傍の左右両面に内向きと外向きに二か所（１１，１２）を折り曲げて該開口部７近傍の前後にそれぞれ三枚シート（６Ａ、６Ｃ、６Ｄおよび６Ｂ、６Ｅ、６Ｆ）が形成されるように該袋体６の左右及び下部の縁部（Ｘ、Ｙ、Ｚ）をシールし、前記一方の三枚のシートのうち内側の左右各１枚（6Ｄ、6Ｆ）の端部には一方に凸条部を形成すると共に他方には前記凸条部を嵌合する凹条部を形成したファスナーＦを設け、該ファスナーＦには、このファスナーＦの勘合状態を開く突起を設けたスライダー部３Ａと、開いたファスナーＦを閉じるスライダー部３Ｂとの分割型のスライダーを合体させて取り付け、前記四枚のシートのうち各左右二枚（6Ａ、6Ｃおよび6Ｂ、6Ｅ）のシート端部には、持ち手２０を付ける挟持具４を挟持してなるスライダーを設けたスライダーを設けたファスナー付袋体。
【請求項２】
前記持ち手２０に付ける前記挟持具４を二股の板状材（４Ａ、４Ｂ）とするとともに、該二股の板状材の一方には凸部４Ｃを設けるとともに、他方には６Ａ，６Ｃを介して該凸部４Ｃが押して入る程度の穴４Ｄを設けてなることを特徴とするスライダーを設けたファスナー付袋体。                  。
【請求項３】
左右両端部及び下端部の周縁部をシールして開口部７を設けた袋体６には、底部にマチ１０を設けたことを特徴とする請求項１または請求項２に記載のスライダーを設けたファスナー付袋体。
【手続補正３】
【補正対象書類名】図面
【補正対象項目名】図１
【補正方法】変更
【補正の内容】
【図１】
2013043676.tif 000014
【手続補正４】
【補正対象書類名】図面
【補正対象項目名】図２
【補正方法】変更
【補正の内容】
【図２】
2013043676.tif 000015
【手続補正５】
【補正対象書類名】図面
【補正対象項目名】図３
【補正方法】変更
【補正の内容】
【図３】
2013043676.tif 000016
【手続補正６】
【補正対象書類名】図面
【補正対象項目名】図４
【補正方法】変更
【補正の内容】
【図４】
2013043676.tif 000017
【手続補正７】
【補正対象書類名】図面
【補正対象項目名】図５
【補正方法】変更
【補正の内容】
【図５】
2013043676.tif 000018
【手続補正８】
【補正対象書類名】図面
【補正対象項目名】図６
【補正方法】変更
【補正の内容】
【図６】
2013043676.tif 000019
【手続補正９】
【補正対象書類名】図面
【補正対象項目名】図７
【補正方法】変更
【補正の内容】
【図７】
2013043676.tif 000020
【手続補正１０】
【補正対象書類名】図面
【補正対象項目名】図８
【補正方法】変更
【補正の内容】
【図８】
2013043676.tif 000021
【手続補正１１】
【補正対象書類名】図面
【補正対象項目名】図９
【補正方法】変更
【補正の内容】
【図９】
2013043676.tif 000022
【手続補正１２】
【補正対象書類名】図面
【補正対象項目名】図１０
【補正方法】削除
【補正の内容】
【手続補正１３】
【補正対象書類名】図面
【補正対象項目名】図１１
【補正方法】削除
【補正の内容】
【手続補正書】
【提出日】平成24年9月27日(2012.9.27)
【手続補正１】
【補正対象書類名】明細書
【補正対象項目名】全文
【補正方法】変更
【補正の内容】
【発明の詳細な説明】
【技術分野】
【０００１】
本発明は、衣類や化粧品或いはハンカチーフ等の身の回り品、その他色々な買い物類を収納し、持ち歩くのにも便利な特殊なスライダーを設けたファスナー付袋体に関する。
【背景技術】
【０００２】
従来、少し大事な小物類や化粧品或いは買いたての宝飾品や財布等は、ハンドバッグに入れて持ち歩く。しかし、近年は紙や合成樹脂製の袋体で丈夫なものがあり、このような小物類や衣類等はハンドバッグを使用するまでもない場合がある。しかしながらこれらの紙や合成樹脂製の袋体に、ハンドバッグのようにジッパーやチャックを設けたものは殆ど無く、盗難にも逢い易いし、気づかないうちに中の物が落下することもある。中にはファスナーを取り付けたものもあるが（下記特許文献１）、開閉には手を使用するため特に閉めた状態が完全とは言えず、本人は閉めたと思っていても半開きの状態であることも多い。
【０００３】
従来の不正開封防止手段としては、開閉防止部材１を袋体２とは別体に設け、この開閉部材１にはファスナー１０にスライダー１５を設け,該袋体２と開閉防止部材１は一体にしてある（符号は引用文献１のものをそのまま使用、以下同様）。この状態で袋体２に商品を入れて陳列してあり、商品の購入者が袋体を使用する時には切断部３０で切断して開封するようになっている。前記スライダー１５を設ける部分には切欠部２３を設けているが、比較的複雑な構造である。この場合、ファスナー１０にスライダー１５を設けるのは不正開封を防止するのが主要意図（盗難防止）であって、この状態で袋体２に商品を入れて陳列してある。前記切欠部２３を設けるのはスライダー１５をスライドさせ袋体２を勝手に開封しないようにするためである（特許文献１）。
また、店先で商品を入れた盗難防止用の袋体としては、ファスナーやスライダーは設けられていないが、特許文献２、や特許文献３等に記載されているものが知られている。
【先行技術文献】
【特許文献】
【０００４】
【特許文献１】実用新案登録第３０７７１３１号
【特許文献２】特開２００５−０４５２１号
【特許文献３】特開２００９−１２０２４０号
【発明の概要】
【発明が解決しようとする課題】
【０００５】
種々の商品を販売しているストア或いはスーパーマーケットでは、商品を入れている紙製や合成樹脂製の袋体は、単に包装用袋としか扱われていない。そのような袋体をバッグ代わりに持ち歩いたとしても、それは一時的な代用品として持つのであり、紙製や合成樹脂製紙の袋体を普段のバッグとして使用することは考えられていない。このような紙製の袋体には丈夫な蓋或いは開口部を閉じる手段がないため中に商品を入れて店頭に陳列したり、持ち歩いても中の商品の盗難を防止する方法はない。中には、ファスナーを設けた袋体もあるが確実に蓋をすることはできない。
【０００６】
また、紙や合成樹脂製の袋体は丈夫に且つ綺麗に作っても中の商品を取り出したら廃棄処分され、せっかく丈夫に且つ綺麗に作ったことが無駄になることも多い。特にブランド品などは、おしゃれな袋体を使用することが多いが、袋体として使用した後の使い道が無いのはもったいないといえる。また、このような紙製或いは合成樹脂製の袋体は通常の紙や合成樹脂製の袋体はファスナーしか設けられていないのに高いコストかかり値段も高い。
【０００７】
袋体には、上記するように小物類や財布などの比較的小型のものを入れる袋体もあるが、近年の袋体には、洋服やオーバーコート等の大型の衣類を購入して収納し、そのまま持ち帰る袋体もある。そのような場合、洋服やオーバーコート等の大型の衣類を入れた袋体がそれなりのファッション性を有するものであれば所有者は抵抗無く持ち歩くことができるが、そのような盗難防止を兼ねた袋体は見られない。
【０００８】
本発明は上記する課題に対処するためになされたものであり、衣類や化粧品或いはハンカチーフ等の身の回り品等の小物類を収納できるだけでなく、盗難防止も可能で洋服やオーバーコート等の大型の衣類等にも応用できる持ち運びに便利で、ファション性があり、普段も長く使用することのできるスライダーを設けたファスナー付袋体を提供することを目的としている。
【課題を解決するための手段】
【０００９】
請求項１に記載の発明は、スライダーを設けたファスナー付袋体が、表面シート６Ａと裏面シート６Ｂとを有し、左右両端部（Ｘ，Ｙ）及び下端部の周縁部（Ｚ）をシールした袋体６であって、
該袋体６の端部の左右両面に内向きと外向きに二か所（１１，１２）を折り曲げて片側左右にそれぞれ三枚シート（６Ａ，６Ｃ，６Ｄおよび６Ｂ，６Ｅ，６Ｆ）を形成し、
これらの各三枚のシートのうち内側左右の二枚シート（６Ｄおよび６Ｆ）の間を開口部７とし、
前記各三枚のシートのうち内側の左右各１枚（6Ｄ，6Ｆ）の端部の前記開口部７には一方に凸条部Ｆ１を形成すると共に他方に該凸条部Ｆ１を嵌合する凹条部Ｆ２を形成したファスナーＦを設け、
該ファスナーＦには、このファスナーＦの勘合状態を開くファスナー方向の突起を設けると共にスライド方向には突出部３Ｅを設けた雄のスライダー部３Ａと、開いたファスナーＦを閉じる開口部を設け前記突出部３Ｅの嵌まる穴３Ｆを設けた雌のスライダー部３Ｂと、を設けた分割型のスライダー３を合体させて取り付け、
前記四枚のシートのうち外側の各左右二枚（6Ａ，6Ｃおよび6Ｂ，6Ｅ）のシート端部には、持ち手２０，２０を付けた挟持具４，４で挟持してなることを特徴とする。
【００１０】
更に、請求項２に記載の発明は、スライダーを設けたファスナー付袋体が、前記持ち手２０に付ける前記挟持具４を二股の板状材（４Ａ，４Ｂ）とするとともに、該二股の板状材の一方には凸部４Ｃを設けるとともに、他方にはシート６Ａ，６Ｃおよび６Ｂ，６Ｅの穴を介して該凸部４Ｃが押して入る程度の穴４Ｄを設けてなることを特徴としている。
【００１１】
更に、請求項３に記載の発明は、スライダーを設けたファスナー付袋体が、左右両端部及び下端部の周縁部をシールして開口部７を設けた袋体６には、下端部にマチ１０を設けたことを特徴としている。
【発明の効果】
【００１２】
本発明によれば、従来の袋体は、単に包装用袋としてしか使用されなかたが長持ちさせかつファッション性にも優れた袋体として使用することができる。また、ファスナーにスライダーを設けたことから盗難防止にもなり、蓋の代わりともなる。さらに袋の中のものを不用意に落とすこともなくなる。
【００１３】
また、比較的かっこいいファッシヨナブルな袋体となり、ハンドバッグの代わりとして使用することができる。そして、紙製或いは合成樹脂製の袋体は丈夫に且つ綺麗に製作し、中の商品を取り出しても廃棄処分することなく再使用することができる。特に、ブランド品などを購入したとき、そのままブランド品などを入れて持ち歩くことも可能な袋体となる。したがってブランド品や有名商品の販売時の袋体として特に最適である。
【００１４】
本発明のスライダーを設けたファスナー付袋体は、小は小物入れ用の袋体から大は洋服やオーバーコート等の大型の衣類を入れる袋体まで広く使用することができる。特に本発明で使用するスライダーは、分割可能であり、取り外して他の袋体にも使用することができる。
【図面の簡単な説明】
【００１５】
【図１】図１は、本発明のスライダーを設けたファスナー付袋体の側面図である。
【図２】図２は図１のＡ―Ａ矢視図である。
【図３】図３は、図２のＰ部の図であってファスナーとスライダーとの詳細拡大断面図である。
【図４】図４は、挟持具の斜視図である。
【図５】図５は、本願発明のスライダーを設けたファスナー付袋体であって比較的幅の広い袋体の他の実施例の全体側面図である。
【図６】図６は、図１のスライダーを設けたファスナー付袋体と同様の袋体であって比較的幅の広い袋体の全体側面図である
【図７】図７は、本発明のスライダーを設けたファスナー付袋体で使用されスライダーをファスナーにとりつけた状態の斜視図であり、比較的大型のスライダーを使用する場合を示す
【図８】図８（Ａ）は、スライダー付袋体で使用されるスライダーの組立斜視図であり、図８（Ｂ）は、その分解図である。
【発明を実施するための形態】
【００１６】
図１は、本発明の袋体の側面図であり、図２は図１のＡ―Ａ矢視図である。また、図３は、図２のＰ部拡大図である。
【００１７】
図１は、本発明の袋体６の実施例側面図であって、本発明の袋体６の実施例を示した図である。本発明のスライダー３を設けたファスナー付袋体６は、表面シート６Ａと裏面シート６Ｂとを有している。これらの表面シート６Ａと裏面シート６Ｂは、左右両端部及び下端部の周縁部Ｘ，Ｙ，Ｚをシールして一方の端部（この場合は図の上部端部）に開口部７を設けてある。
【００１８】
この袋体６は、図２に示すように、開口部７の近傍の端部には左右両面には内向きと外向きに二か所（１１，１２）を折り曲げて該開口部７近傍の前後にそれぞれ各三枚のシート６Ａ，６Ｃ，６Ｄ及び６Ｂ，６Ｅ，６Ｆ（6Ａと6Ｂは、表面シート６Ａと裏面シート6Ｂである。）が形成されている。また、該袋体６の左右および他の端部（底部）の縁部（Ｘ，Ｙ，Ｚ）はシールしてある。前記一方の三枚のシートのうち内側の左右各１枚（６Ｄ，６Ｆ）の端部（上端部）には一方に凸条部（雄係合部材Ｆ１、以下凸条部Ｆ１とする）を形成すると共に他方には前記凸条部を嵌合する凹条部（雌係合部材Ｆ２、以下凹条部Ｆ２とする）を形成するファスナーＦ（Ｆ１とＦ２）を設け、該ファスナーＦにスライダー3を取りつけ、折り曲げ部１１，１２を設け、開口部７近傍の前後にそれぞれ各三枚６Ａ，６Ｃ，６Ｄ及び６Ｂ，６Ｅ，６Ｆ（６Ａと６Ｂは、表面シート６Ａと裏面シート６Ｂである。）が形成されている。また、該袋体６の左右および底部は、前記するようにシールしてある。この発明の袋体６は、前記三枚のシートのうち内側の左右各１枚６Ｄと６Ｆの端には、一方に凸条部を設けると共に他方には前記凸条部を嵌合する凹条部を設け、該ファスナーＦに後述するスライダー３を取りつけ、折り曲げ部１１のある他方の左右各二枚のシート（６Ａ，６Ｃおよび６Ｂ，６Ｅ）には、後述するように持ち手２０の挟持具４で挟持して持つようにしてある。
【００１９】
前記ファスナーＦには、該ファスナーＦの勘合状態を開くファスナーＦ方向に突起を設けたスライダー部３Ａと、開いたファスナーＦを閉じるスライダー部３Ｂとの分割型のスライダーを合体させたスライダー３が取付けられている。すなわち、このファスナー付袋体６のファスナーＦに取付けるスライダー３は、図８に示すように、分割型スライダー３である。
【００２０】
図１及び図２に示すように、開口部７には雄係合部材Ｆ１と雌係合部材Ｆ２とで構成されるファスナーＦが設けられている。すなわち、前記袋体６の開口部７の近傍の左右両面内側には、折り曲げ部（１１，１２間）の横長の短いシート（６Ｃ，６Ｄおよび６Ｅ，６Ｆ）の下部が６Ａおよび６Ｂにつながっている。該袋体６には図の上端側に六枚のシート６Ａ，６Ｂ，６Ｃ，６Ｄ，６Ｅ，６Ｆ（２枚は表面シート６Ａと裏面シート６Ｂ）が形成されている。
【００２１】
図３は、図２のＰ部拡大図である。前記四枚のシートのうち左右の内側のシート６Ｄ，６Ｆの上端部には一方に凸条部Ｆ１を設け、他方には前記凸部に嵌合する凹状部Ｆ２を設けたファスナーＦが設けられるととともに該ファスナーＦには、袋体６の開口部７を開閉するスライダー３が取り付けられている。前記四枚のシートのうち左右の二枚の外側のシート（６Ａ，６Ｃ）および（６Ｂ，６Ｅ）上端部には、袋体６に取り付ける持ち手２０の挟持具４で挟持されている。図４は、本発明の袋体６で使用する挟持具４の斜視図である。
【００２２】
図３に示すように、前記ファスナーＦは、袋体６の開口部７の近傍の一方の内シート６Ｃの側面に凸条部を設けた雄係合部材Ｆ１を接着し、他方のシート６Ｂ，６Ｅの内側面には前記凸条部を係脱自在に嵌め入れる凹条部の係合溝を設けた雌係合部材Ｆ２を接着して構成される。そして該ファスナーＦには、分割型のスライダー3が設けられる。このスライダー３については後述する（図８参照）。
【００２３】
図４は、上記実施例で示した挟持具４の斜視図である。
図１や図２に示す挟持具４は、持ち手２０の先に取り付けるが、この挟持部４は二股の板状材４Ａ，４Ｂとして形成し、一方には凸部４Ｃ，４Ｃを設け、他方には前記凸部４Ｃ，４Ｃに設けた穴４Ｄ，４Ｄをシート部６Ａおよび６Ｃ、更に６Ｂおよび６Ｅに穿設した穴を介して通し、押して入る程度の穴４Ｄ，４Ｄを穿設してある。なお、これらの凸部４Ｃ，４Ｃや穴４Ｄ，４Ｄは各一組が嵌合すればよい。該挟持具４は、取り外して他の袋体の持ち手２０ごと使用することもできる。
【００２４】
前記袋体６は、左右両端部及び図１の上端部の周縁部をシールして開口部７を設けた袋体としたが、図１に示すように該袋体６には、底部にマチ１０を設けてスライダー３を設けたファスナー付袋体６としてもよい。このマチ１０を設けると、袋体６の中に入れる物の量を多くすることができ、分厚い服類も入れやすくなる。
【００２５】
図５は、本願発明の袋体であって比較的幅の広い袋体を示す他の実施例の全体側面図である。挟持具４は、前記図１や図２に示すようなものに限らずこのように五角形状のもの等でも良く、他の形状でも良い。また、ファスナーＦとスライダー３を設ける開口部７の上端縁の位置は、図６に示すように、外側の挟持具４を取り付ける上端縁の位置より低くても良い。勿論高くても良い。  
【００２６】
図６は、図１の袋体と同様の袋体であって比較的幅の広い袋体の場合を示す全体側面図である。本実施例では、前記挟持具４は使用せず開口部７の両外側の上端部に持ち手２０の紐を外側のシートに穴を設けて通し脱落しないように結んだものである。したがって前記挟持具４を設けない分安く簡単である。
【００２７】
図７は、本発明の袋体６で使用されスライダー３をファスナーＦにとりつけた状態の斜視図であり、比較的大型のスライダー３を使用する場合を示す。この大型のスライダー３は大きな袋体向きである。この袋体６のファスナーＦに取り付けるスライダー３も二つの部分雄のスライダー部３Ａと雌のスライダー部３Ｂに分解できるようにしてある。
雄のスライダー部３Aには突出部３E，３Eが設けられ、雌のスライダー部３Bには前記突出部３E，３Eが嵌る穴３Ｆが設けられている。このようにスライダー３を分解した構成とすると図７に示すように突出部３Ｅがつまめるので袋体のファスナーFに嵌めたり、外したりしやすくなる。
【００２８】
図８（Ａ）は、大型の袋体６で使用されるスライダー３の組立斜視図であり、図８（Ｂ）は、その分解図である。この大型のスライダー３は、図９（Ｂ）に示すように分解した状態で雄のスライダー部３Ａを上からファスナーＦに嵌め入れ、次いで雌のスライダー部３Ｂを嵌め入れ、ファスナーＦで合体させる。この雄のスライダー部３Ａには突出部３Ｅ，３Ｅが設けられ雌のスライダー部３Ｂに設けられた穴３Ｆに嵌めこまれるようになっている。この場合突出部３Ｅは、少し雌のスライダー部３Ｂより外へ出る（図７参照）。スライダー３をこのような構成にすればスライダー３は取り替えて種々の袋体に使用することができる。
【産業上の利用可能性】
【００２９】
本発明のスライダーを設けたファスナー付袋体は、店頭で販売された商品を従来の包装袋の代わりに使用することができる。しかもこの袋体６は、ハンドバッグの代わりとして使用することができるので広く販売、使用することが可能となり袋体の利用範囲が広くなり、産器用上の利用性も高くなる。そして従来使用されてきた包装用袋体は使用せずに済むので無駄もなくなる。
【符号の説明】
【００３０】
３    スライダー
３Ａ  スライダー部（雄）
３Ｂ  スライダー部（雌）
３Ｅ  突出部
３Ｆ  穴
４    挟持具
５    把持部
６    袋体
６Ａ  表面シート
６Ｂ  裏面シート
６Ｃ  シート
６Ｄ  シート
６Ｅ  シート
６Ｆ  シート
７    開口部
１０  マチ
１１  折り目
１２  折り目
２０  持ち手
Ｆ１  凸条部
Ｆ２  凹条部
【手続補正２】
【補正対象書類名】特許請求の範囲
【補正対象項目名】全文
【補正方法】変更
【補正の内容】
【特許請求の範囲】
【請求項１】
表面シート６Ａと裏面シート６Ｂとを有し、左右両端部（Ｘ，Ｙ）及び下端部の周縁部（Ｚ）をシールした袋体６であって、
該袋体６の端部の左右両面に内向きと外向きに二か所（１１，１２）を折り曲げて片側左右にそれぞれ三枚シート（６Ａ，６Ｃ，６Ｄおよび６Ｂ，６Ｅ，６Ｆ）を形成し、
これらの各三枚のシートのうち内側左右の二枚シート（６Ｄおよび６Ｆ）の間を開口部７とし、
前記各三枚のシートのうち内側の左右各１枚（6Ｄ，6Ｆ）の端部の前記開口部７には一方に凸条部Ｆ１を形成すると共に他方に該凸条部Ｆ１を嵌合する凹条部Ｆ２を形成したファスナーＦを設け、
該ファスナーＦには、このファスナーＦの勘合状態を開くファスナー方向の突起を設けると共にスライド方向には突出部３Ｅを設けた雄のスライダー部３Ａと、開いたファスナーＦを閉じる開口部を設け前記突出部３Ｅの嵌まる穴３Ｆを設けた雌のスライダー部３Ｂと、を設けた分割型のスライダー３を合体させて取り付け、
前記四枚のシートのうち外側の各左右二枚（6Ａ，6Ｃおよび6Ｂ，6Ｅ）のシート端部には、持ち手２０，２０を付けた挟持具４，４で挟持してなることを特徴とするスライダーを設けたファスナー付袋体。
【請求項２】
前記持ち手２０に付ける前記挟持具４を二股の板状材（４Ａ，４Ｂ）とするとともに、該二股の板状材の一方には凸部４Ｃを設けるとともに、他方にはシート６Ａ，６Ｃおよび６Ｂ，６Ｅの穴を介して該凸部４Ｃが押して入る程度の穴４Ｄを設けてなることを特徴とする請求項１に記載のスライダーを設けたファスナー付袋体。  
【請求項３】
左右両端部及び下端部の周縁部をシールして開口部７を設けた袋体６には、下端部にマチ１０を設けたことを特徴とする請求項１に記載のスライダーを設けたファスナー付袋体。
【手続補正３】
【補正対象書類名】図面
【補正対象項目名】図１
【補正方法】変更
【補正の内容】
【図１】
2013043676.tif 000023
【手続補正４】
【補正対象書類名】図面
【補正対象項目名】図４
【補正方法】変更
【補正の内容】
【図４】
2013043676.tif 000024
【手続補正５】
【補正対象書類名】図面
【補正対象項目名】図７
【補正方法】変更
【補正の内容】
【図７】
2013043676.tif 000025
【手続補正６】
【補正対象書類名】図面
【補正対象項目名】図８
【補正方法】変更
【補正の内容】
【図８】
2013043676.tif 000026
【手続補正７】
【補正対象書類名】図面
【補正対象項目名】図９
【補正方法】削除
【補正の内容】